(57)【要約】【課題】  電源コンセントの上面によりＡＣアダプタ本体及びプラグユニットの双方を支持することにより、電源コンセントからのプラグユニットの抜け（離脱）を防止し、電源コンセントとプラグユニットを確実かつ安定に接続する。【解決手段】  ＡＣアダプタ本体２に着脱する着脱部３ｃ及びＡＣ電源側に接続する電源プラグ部３ｐを有するプラグユニット３を備えるＡＣアダプタ装置１を構成するに際して、プラグユニット３における電源プラグ部３ｐが突出する底面部３ｄを、プラグユニット３をＡＣアダプタ本体２に装着した状態におけるＡＣアダプタ本体２の底面部２ｄに対して同一平面上に位置するように形成するとともに、ＡＣアダプタ本体２に装着したプラグユニット３の離脱を阻止する離脱阻止手段４を設ける。【選択図】  図１
2008097855.tif 000002
【特許請求の範囲】
【請求項１】
ＡＣアダプタ本体に着脱する着脱部及びＡＣ電源側に接続する電源プラグ部を有するウォールマウントプラグユニットを備えるＡＣアダプタ装置において、前記ウォールマウントプラグユニットにおける前記電源プラグ部が突出する底面部を、前記ウォールマウントプラグユニットを前記ＡＣアダプタ本体に装着した状態における前記ＡＣアダプタ本体の底面部に対して同一平面上に位置するように形成するとともに、前記ＡＣアダプタ本体に装着した前記ウォールマウントプラグユニットの離脱を阻止する離脱阻止手段を設けてなることを特徴とするＡＣアダプタ装置。
【請求項２】
前記離脱阻止手段は、前記ウォールマウントプラグユニット又は前記ＡＣアダプタ本体のいずれか一方に設けた凹部と他方に設けて前記凹部に係合又は係合解除する凸部を有するクリック機構により構成することを特徴とする請求項１記載のＡＣアダプタ装置。
【請求項３】
前記離脱阻止手段は、前記ウォールマウントプラグユニット又は前記ＡＣアダプタ本体のいずれか一方に設けることにより他方に係止し又は係止解除する係止爪部を有するロック機構により構成することを特徴とする請求項１記載のＡＣアダプタ装置。
【請求項４】
前記電源プラグ部は、使用位置又は格納位置へ変位可能に構成することを特徴とする請求項１記載のＡＣアダプタ装置。
【請求項５】
前記離脱阻止手段は、前記ウォールマウントプラグユニット又は前記ＡＣアダプタ本体のいずれか一方に設けることにより他方に係止し又は係止解除する係止爪部を有するロック機構を備えるとともに、前記電源プラグ部が使用位置で前記係止爪部が係止し、かつ前記電源プラグ部が格納位置で前記係止爪部が係止解除するプラグ連動機構を備えることを特徴とする請求項４記載のＡＣアダプタ装置。
【発明の詳細な説明】
【技術分野】
【０００１】
本発明は、ＡＣアダプタ本体に着脱する着脱部及びＡＣ電源側に接続する電源プラグ部を有するウォールマウントプラグユニットを備えるＡＣアダプタ装置に関する。
【背景技術】
【０００２】
一般に、ノート形パソコン等の小型電子機器にはバッテリを内蔵するとともに、ＡＣ１００〔Ｖ〕の商用電源を利用できるようにするためのＡＣアダプタが付属する。通常、この種のＡＣアダプタは、使い勝手（利便性）を高めるため、ＡＣアダプタ本体と、このＡＣアダプタ本体の一端側から導出され、先端に設けたＡＣプラグがＡＣ電源（電源コンセント）に接続されるＡＣ入力コード及びＡＣアダプタ本体の他端側から導出され、先端に設けたＤＣプラグがノート形パソコン等の小型電子機器に接続されるＤＣ出力コードにより構成されている（例えば、特開２００３−２８４３４２号公報参照）。
【０００３】
また、ＡＣ入力コードは、ＡＣアダプタ本体に対して着脱可能に構成されることも少なくなく、この場合、ＡＣ入力コードの後端におけるアウトレットが、ＡＣアダプタ本体に設けたインレットに着脱する。このように構成した場合、ＡＣアダプタ本体に設けたインレットには、ＡＣ入力コードの代わりにウォールマウントプラグユニットも装着可能となり、このウォールマウントプラグユニット（以下、プラグユニットと記載）を用いた場合には、ＡＣアダプタ本体を電源コンセントに対して直接的に着脱可能となる。
【特許文献１】特開２００３−２８４３４２号
【発明の開示】
【発明が解決しようとする課題】
【０００４】
ところで、上述したプラグユニットは、ＡＣ入力コードの代わりに用いられるため、必ずしもＡＣアダプタにとって必須のものではなく、ＡＣアダプタとは異なるメーカにより製造されることも少なくないとともに、ＡＣアダプタ本体に着脱する着脱部及びＡＣ電源側に接続する電源プラグ部を有するため、プラグユニット全体の形態は、横長のＡＣアダプタ本体の一側を保持する形態に構成されることが多い。
【０００５】
したがって、従来のプラグユニットは、電源コンセントへの装着時にＡＣアダプタ本体の自重が片寄って付与された場合、電源プラグ部が電源コンセントから抜ける虞れがあり、、電源コンセントに対するプラグユニット（ＡＣアダプタ本体）の装着（接続）が不安定になる問題があった。プラグユニットが電源コンセントから抜けた場合、使用中のノート形パソコン等に電源が供給されなくなる致命的な問題を生じるため、プラグユニットを電源コンセントに対して確実かつ安定に接続することはプラグユニットにとって重要な課題となる。
【０００６】
本発明は、このような背景技術に存在する課題を解決したＡＣアダプタ装置の提供を目的とするものである。
【課題を解決するための手段】
【０００７】
本発明は、上述した課題を解決するため、ＡＣアダプタ本体２に着脱する着脱部３ｃ及びＡＣ電源側に接続する電源プラグ部３ｐを有するプラグユニット３を備えるＡＣアダプタ装置１を構成するに際して、プラグユニット３における電源プラグ部３ｐが突出する底面部３ｄを、プラグユニット３をＡＣアダプタ本体２に装着した状態におけるＡＣアダプタ本体２の底面部２ｄに対して同一平面上に位置するように形成するとともに、ＡＣアダプタ本体２に装着したプラグユニット３の離脱を阻止する離脱阻止手段４を設けたことを特徴とする。
【０００８】
この場合、発明の好適な態様により、離脱阻止手段４は、プラグユニット３又はＡＣアダプタ本体２のいずれか一方に設けた凹部１１…と他方に設けて凹部１１…に係合又は係合解除する凸部１２…を有するクリック機構４ｘにより構成してもよいし、プラグユニット３又はＡＣアダプタ本体２のいずれか一方に設けることにより他方に係止し又は係止解除する係止爪部１３…を有するロック機構４ｙにより構成してもよい。また、電源プラグ部３ｐは、使用位置Ｘｕ又は格納位置Ｘｒへ変位可能に構成することができるとともに、この際、離脱阻止手段４は、プラグユニット３又はＡＣアダプタ本体２のいずれか一方に設けることにより他方に係止し又は係止解除する係止爪部１４…を有するロック機構４ｚａを設けるとともに、電源プラグ部３ｐが使用位置Ｘｕで係止爪部１４…が係止し、かつ電源プラグ部３ｐが格納位置Ｘｒで係止爪部１４…が係止解除するプラグ連動機構４ｚｂを設けて構成することもできる。
【発明の効果】
【０００９】
このような構成を有する本発明に係るＡＣアダプタ装置１によれば、次のような顕著な効果を奏する。
【００１０】
（１）  プラグユニット３における電源プラグ部３ｐが突出する底面部３ｄを、プラグユニット３をＡＣアダプタ本体２に装着した状態におけるＡＣアダプタ本体２の底面部２ｄに対して同一平面上に位置するように形成するとともに、ＡＣアダプタ本体２に装着したプラグユニット３の離脱を阻止する離脱阻止手段４を設けたため、ＡＣアダプタ本体２とプラグユニット３を装着し、かつＡＣアダプタ本体２を電源コンセントに装着した場合であっても、ＡＣアダプタ本体２とプラグユニット３の双方が電源コンセントの上面に支持され、電源コンセントからのプラグユニット３の抜け（離脱）が防止されることにより、電源コンセントに対してプラグユニット３を確実かつ安定に接続することができる。
【００１１】
（２）  好適な態様により、離脱阻止手段４を、プラグユニット３又はＡＣアダプタ本体２のいずれか一方に設けた凹部１１…と他方に設けて凹部１１…に係合又は係合解除する凸部１２…を有するクリック機構４ｘにより構成すれば、離脱阻止手段４を比較的簡易な構成により実現できるとともに、着脱操作も容易となる。
【００１２】
（３）  好適な態様により、離脱阻止手段４を、プラグユニット３又はＡＣアダプタ本体２のいずれか一方に設けることにより他方に係止し又は係止解除する係止爪部１３…を有するロック機構４ｙにより構成すれば、より確実な離脱阻止を実現できる。
【００１３】
（４）  好適な態様により、離脱阻止手段４を、プラグユニット３又はＡＣアダプタ本体２のいずれか一方に設けることにより他方に係止し又は係止解除する係止爪部１４…を有するロック機構４ｚａを設けるとともに、電源プラグ部３ｐが使用位置Ｘｕで係止爪部１４…が係止し、かつ電源プラグ部３ｐが格納位置Ｘｒで係止爪部１４…が係止解除するプラグ連動機構４ｚｂを設けて構成すれば、電源プラグ部３ｐを使用位置Ｘｕ又は格納位置Ｘｒに変位することにより、いわば自動で係止爪部１４…の係止又は係止解除を実現できる。
【発明を実施するための最良の形態】
【００１４】
次に、本発明に係る最良の実施形態を挙げ、図面に基づき詳細に説明する。
【００１５】
まず、本実施形態に係るＡＣアダプタ装置１の構成について、図１〜図６を参照して説明する。
【００１６】
ＡＣアダプタ装置１はＡＣアダプタ本体２とプラグユニット３を備える。ＡＣアダプタ本体２は、図６に示すように、全体が細長い直方体状のハウジング２１により覆われ、このハウジング２１の内部に、ＡＣ−ＤＣ変換機能を有する内蔵回路を構成する回路基板２２を配設する。また、ＡＣアダプタ本体２の長手方向における一端面２ｓには、回路基板２２にＡＣを入力させるインレット２３を配設するとともに、ＡＣアダプタ本体２の長手方向における他端面２ｔからはＤＣを出力するＤＣ出力コード２４が導出する。
【００１７】
インレット２３は、接続電極となる一対のピンユニット２５ａ，２５ｂ（図４（ｂ））を備える。一対のピンユニット２５ａ，２５ｂは先端にピン部２６ａ，２６ｂを有するとともに、後端にカシメによりリード線Ｗａ，Ｗｂを接続可能なリード接続部２７ａ，２７ｂを有する。ピン部２６ａ，２６ｂは、インレット基部２８の後端面からアウトサートにより圧入し、前面に凹状に形成したアウトレット着脱部２９（図４（ｂ））の内部に突出させるとともに、リード接続部２７ａ，２７ｂは、インレット基部２８の外面に形成した切欠面による接続部配置面３０ａ，３０ｂに位置させる。また、インレット基部２８の後端面には、ピンユニット２５ａ，２５ｂの抜けを阻止する規制板３１を固定する。そして、リード線Ｗａ，Ｗｂの一端をそれぞれリード接続部２７ａ，２７ｂに対してカシメにより接続するとともに、各リード線Ｗａ，Ｗｂの他端は回路基板２２（内蔵回路）の所定部位に接続する。
【００１８】
インレット２３をこのように組込むことにより、インレット２３に対して後述するアウトレット４４（６６）を着脱しても回路基板２２とインレット２３間に応力が付加されることはなく、回路基板２２とインレット２３間における接触不良などのトラブルの発生を回避できる。また、インレット２３の設計位置或いは回路基板２２の設計自由度を高めることができるとともに、インレット２３のハウジング２１に対する組付けが容易となり、組立性、更には組付時の均質性を高めることができる。さらに、インレット基部２８の外面に、切欠面による接続部配置面３０ａ，３０ｂを形成したため、インレット基部２８の外面からリード接続部２７ａ，２７ｂが無用に突出する不具合を回避でき、ＡＣアダプタ本体２の更なる小型コンパクト化に寄与できるとともに、インレット基部２８の後端面に規制板３１を固定することにより、インレット２３に対してアウトレット４４の着脱を繰返したり無理な着脱を行っても、インレット基部２８に対してアウトサートにより圧入したピンユニット２５ａ，２５ｂの抜けを確実に阻止でき、インレット２３の耐久性向上に寄与できる。
【００１９】
一方、プラグユニット３は、図５に示すように、全体が直方体状のハウジング４１により覆われ、このハウジング４１の内部に回動支軸部４２により回動変位が許容される電源プラグ部３ｐを配設する。したがって、この電源プラグ部３ｐは回動支軸部４２を支点として使用位置Ｘｕ又は格納位置Ｘｒに回動変位できる。この場合、使用位置Ｘｕにおける電源プラグ部３ｐは、図５に実線で示すように、底面部３ｄから下方へ直角に突出するとともに、この使用位置Ｘｕから矢印Ｆｕ方向へ９０〔゜〕回動させることにより電源プラグ部３ｐの先端一部のみが露出し、電源プラグ部３ｐの殆どがハウジング４１の内側に収容される格納位置Ｘｒに変位させることができる。この格納位置Ｘｒにおける電源プラグ部３ｐを図５に仮想線で示す。なお、電源プラグ部３ｐは、回動支軸部４２に付設したクリック機構部４３によりクリック状に回動変位し、かつ位置決めされる。
【００２０】
また、プラグユニット３の一端面３ｓには、ＡＣアダプタ本体２に着脱する凹形に形成した着脱部３ｃを設ける。この場合、ＡＣアダプタ本体２の一端面２ｓには、図２に示すように、着脱部３ｃに着脱する凸形に形成した被着脱部２ｃを設けてあり、この被着脱部２ｃに着脱部３ｃが着脱する。プラグユニット３の一端面３ｓは、ＡＣアダプタ本体２の一端面２ｓに対して同一形状及び同一の大きさに形成する。これにより、装着時における着脱部３ｃと被着脱部２ｃは嵌合し、プラグユニット３のハウジング４１とＡＣアダプタ本体２のハウジング２１は段差の無い連続形状となる。即ち、プラグユニット３（ハウジング４１）の上面部３ｕ、左右側面部３ｐ，３ｑ及び底面部３ｄは、ＡＣアダプタ本体２（ハウジング２１）の上面部２ｕ、左右側面部２ｐ，２ｑ及び底面部２ｄのそれぞれに対して同一平面上に位置する。
【００２１】
さらに、プラグユニット３の着脱部３ｃの内側には、図４（ａ）及び図５に示すように、凸状のアウトレット４４を突出形成する。アウトレット４４は、一対の孔部４５ａ，４５ｂを有し、この孔部４５ａ，４５ｂの内部に、接続電極となるピン受部４６ａ，４６ｂを配する。このピン受部４６ａ，４６ｂに、ＡＣアダプタ本体２側のインレット２３に備えるピン部２６ａ，２６ｂが着脱する。
【００２２】
他方、ＡＣアダプタ本体２とプラグユニット３間には、プラグユニット３をＡＣアダプタ本体２に装着した際に、プラグユニット３の離脱を阻止する離脱阻止手段４を設ける。離脱阻止手段４は、図３に示すように、プラグユニット３に設けることによりＡＣアダプタ本体２に係止し又は係止解除する係止爪部１３…を用いたロック機構４ｙにより構成する。この係止爪部１３…はプラグユニット３におけるハウジング４１の両側面部３ｐ，３ｑにそれぞれ設ける。一方の係止爪部１３は、プラグユニット３の側面部３ｐに設けた支軸部５１により中間部が回動自在に支持される。係止爪部１３は、一端に形成した爪部５２を有するとともに、他端に形成した操作部５３を有する。そして、係止爪部１３の他端がスプリング５４により係止方向に付勢される。一方、ＡＣアダプタ本体２の側面部２ｐには、爪部４２が係止する係止段差部５５を形成する。他方の側面部３ｑ，２ｑ側におけるロック機構４ｙの構成も、一方の側面部３ｐ，２ｐ側の構成に対して左右対称となる点を除いて同一の構成となる。
【００２３】
次に、本実施形態に係るＡＣアダプタ装置１の使用方法について、図１〜図６を参照して説明する。
【００２４】
ＡＣアダプタ装置１は、プラグユニット３を備えるため、ＡＣアダプタ本体２の被着脱部２ｃにプラグユニット３の着脱部３ｃを着脱することができる。図１は、プラグユニット３をＡＣアダプタ本体２に装着した状態を示し、図２は、ＡＣアダプタ本体２からプラグユニット３を離脱した状態を示す。
【００２５】
したがって、ＡＣアダプタ本体２にプラグユニット３を装着して使用する場合には、図２に示すように、プラグユニット３の着脱部３ｃをＡＣアダプタ本体２の被着脱部２ｃに装着する。この際、図１に示すように、凸形の被着脱部２ｃと凹形の着脱部３ｃが嵌合するとともに、アウトレット４４がインレット２３のアウトレット着脱部２９に挿入する。これにより、ピン部２６ａ，２６ｂがピン受部４６ａ，４６ｂに挿入して接続が行われる。また、着脱部３ｃを被着脱部２ｃに装着することにより、同時に係止爪部１３…の一端に設けた爪部４２…が係止段差部４５に係止し、ＡＣアダプタ本体２からのプラグユニット３の離脱が確実に阻止される。
【００２６】
次いで、電源プラグ部３ｐを格納位置Ｘｒから矢印Ｆｕ方向へ回動させて使用位置Ｘｕに変位させる。そして、使用位置Ｘｕの電源プラグ部３ｐを、図１に示すように電源コンセント（テーブルタップ）６１に装着する。これにより、ＡＣアダプタ装置１を使用することができる。この場合、プラグユニット３における使用位置Ｘｕの電源プラグ部３ｐが突出する底面部３ｄは、プラグユニット３をＡＣアダプタ本体２に装着した状態におけるＡＣアダプタ本体２の底面部２ｄに対して同一平面上に位置するように形成されるとともに、ＡＣアダプタ本体２に装着したプラグユニット３の離脱がロック機構４ｙにより阻止されるため、ＡＣアダプタ本体２及びプラグユニット３の双方が電源コンセント６１の上面により安定に支持される。よって、電源コンセント６１からのプラグユニット３の抜け（離脱）が防止され、電源コンセント６１に対してプラグユニット３を確実かつ安定に接続することができ、例えば、ノート形パソコン等の使用中に、プラグユニット３が電源コンセント６１から抜け、ノート形パソコン等に電源が供給されなくなるなどの致命的な問題を可及的に回避できる。
【００２７】
一方、ＡＣアダプタ本体２からプラグユニット３を離脱させる場合には、左右における係止爪部１３…の操作部５３…を含む両側面部３ｐ，３ｑを手で把持する。これにより、各操作部５３…が手で押され、図３に仮想線で示すように、係止段差部５５…に対する爪部５２…の係止が解除される。したがって、この状態でプラグユニット３をＡＣアダプタ本体２から引き離せば、ＡＣアダプタ本体２からプラグユニット３を容易に離脱させることができる。
【００２８】
なお、ＡＣアダプタ本体２のインレット２３には、図６に示すようなＡＣ入力コード６５を接続することもできる。図６は、ＡＣ入力コード６５の一部、特に、一端に設けたアウトレット６６のみを示す。したがって、アウトレット６６から導出する電源コード及びこの電源コードの他端に設けた電源プラグの図示は省略した。この電源プラグは、ＡＣ電源（電源コンセント６１）に接続される。
【００２９】
他方、図７〜図１０には、本発明の変更実施形態に係るＡＣアダプタ装置１を示す。図７及び図８に示すＡＣアダプタ装置１は、離脱阻止手段４の変更例を示し、前述したロック機構４ｙに代わりに、クリック機構４ｘを設けたものである。クリック機構４ｘは、ＡＣアダプタ本体２における被着脱部２ｃの側面に形成した複数（例示は四つ）の球面状の凹部１１…と、プラグユニット３における着脱部３ｃの内側面に形成した複数（例示は四つ）の球面状の凸部１２…により構成する。これにより、着脱部３ｃを被着脱部２ｃに装着すれば、図８に示すように、同時に凹部１１…と凸部１２…がクリック係合し、ＡＣアダプタ本体２に対するプラグユニット３の離脱が阻止される。また、ＡＣアダプタ本体２からプラグユニット３を離脱させる場合には、ＡＣアダプタ本体２に対してプラグユニット３を強く引くことにより、凹部１１…と凸部１２…の係合を解除することができ、もって、被着脱部２ｃから着脱部３ｃを離脱させることができる。このようなクリック機構４ｘを設けることにより、離脱阻止手段４を比較的簡易な構成により実現できるとともに、着脱操作も容易となる。
【００３０】
図９に示すＡＣアダプタ装置１も離脱阻止手段４の変更例を示し、ロック機構４ｚａとプラグ連動機構４ｚｂの組合わせにより構成したものである。即ち、図９に示す離脱阻止手段４は、プラグユニット３に設けることによりＡＣアダプタ本体２に係止し又は係止解除する一又は二以上の係止爪部１４…を有するロック機構４ｚａを備えるとともに、電源プラグ部３ｐが使用位置Ｘｕで係止爪部１４…が係止し、かつ電源プラグ部３ｐが格納位置Ｘｒで係止爪部１４…が係止解除するプラグ連動機構４ｚｂにより構成する。この場合、係止爪部１４は、プラグユニット３の内部に設けた支軸部７１により後端部が回動自在に支持される。係止爪部１４は、先端部に形成した爪部７２を有するとともに、スプリング７３により係止解除方向に付勢される。また、電源プラグ部３ｐが支持される回動支軸部４２には係止爪部１４に係合するカム部７４を設ける。一方、ＡＣアダプタ本体２には、爪部７２が係止する係止段差部７５を設けるとともに、着脱部３ｃ及び被着脱部２ｃには、係止爪部１４の貫通を許容する孔部がそれぞれ形成されている。これにより、着脱部３ｃを被着脱部２ｃに装着した状態で電源プラグ部３ｐを使用位置Ｘｕに変位させれば、図９に実線で示すように、カム部７４が係止爪部１４を押し、爪部７２が係止段差部７５に係止するとともに、電源プラグ部３ｐを格納位置Ｘｒに変位させれば、図９に仮想線で示すように、カム部７４が係止爪部１４から離れ、係止段差部７５に対する爪部７２の係止が解除される。このようなロック機構４ｚａ及びプラグ連動機構４ｚｂの組合わせを用いれば、電源プラグ部３ｐを使用位置Ｘｕ又は格納位置Ｘｒに変位させることにより、係止爪部１４の係止又は係止解除をいわば自動で行うことができる。
【００３１】
図１０は、プラグユニット３に対してＡＣ入力コード８１を有するコード収容ユニット８２を追加した変更例を示す。この場合、コード収容ユニット８２にＡＣ入力コード８１を収容し、コード収容ユニット８２をプラグユニット３の装着部３ｃに装着すれば、コード収容ユニット８２が付加されるも前述した図１〜図５に示したプラグユニット３と同様にＡＣアダプタ本体２に着脱して使用することができる。一方、図１０に示すように、プラグユニット３からコード収容ユニット８２を離脱し、コード収容ユニット８２からＡＣ入力コード８１を引き出せば、図６に示したＡＣ入力コード６５と同様に使用することができる。なお、コード収容ユニット８２において、８１ｃｆは被着脱部２ｃと同一に形成した被着脱部を示すとともに、８１ｃｒは着脱部３ｃと同一に形成した着脱部を示す。また、図７〜図１０において、図１〜図６に示した実施形態と同一部分には同一符号を付してその構成を明確にするとともに、その詳細な説明を省略する。
【００３２】
以上、各種実施形態について説明したが、本発明は、このような実施形態に限定されるものではなく、細部の構成，形状，素材，数量等において、本発明の要旨を逸脱しない範囲で、任意に変更，追加，削除することができる。例えば、離脱阻止手段４は、例示以外の他の構成による離脱阻止手段を排除するものではない。また、電源プラグ部３ｐは、使用位置Ｘｕ又は格納位置Ｘｒへ変位可能に構成した場合を示したが、使用位置Ｘｕに固定したタイプであってもよい。
【図面の簡単な説明】
【００３３】
【図１】本発明の最良の実施形態に係るＡＣアダプタ装置を電源コンセントに装着した状態を示す側面図、
【図２】同ＡＣアダプタ装置におけるＡＣアダプタ本体からプラグユニットを離脱した状態を示す側面図、
【図３】同ＡＣアダプタ装置の部分抽出拡大断面図を含む平面図、
【図４】同ＡＣアダプタ装置におけるＡＣアダプタ本体の正面図及びプラグユニットの背面図、
【図５】同ＡＣアダプタ装置におけるプラグユニットの側面断面図、
【図６】同ＡＣアダプタ装置におけるＡＣアダプタ本体の一部断面平面図、
【図７】本発明の変更実施形態に係るＡＣアダプタ装置におけるＡＣアダプタ本体の一部とプラグユニットの平面図、
【図８】同ＡＣアダプタ装置の部分抽出拡大図を含む側面図、
【図９】本発明の他の変更実施形態に係るＡＣアダプタ装置における離脱阻止手段の側面構成図、
【図１０】本発明の他の変更実施形態に係るＡＣアダプタ装置の側面図、
【符号の説明】
【００３４】
１：ＡＣアダプタ装置，２：ＡＣアダプタ本体，２ｄ：底面部，３：プラグユニット，３ｃ：着脱部，３ｐ：電源プラグ部，３ｄ：底面部，４：離脱阻止手段，４ｘ：クリック機構，４ｙ：ロック機構，４ｚａ：ロック機構，４ｚｂ：プラグ連動機構，１１…：凹部，１２…：凸部，１３…：係止爪部，１４…：係止爪部，Ｘｕ：使用位置，Ｘｒ：格納位置
【図１】
2008097855.tif 000003
【図２】
2008097855.tif 000004
【図３】
2008097855.tif 000005
【図４】
2008097855.tif 000006
【図５】
2008097855.tif 000007
【図６】
2008097855.tif 000008
【図７】
2008097855.tif 000009
【図８】
2008097855.tif 000010
【図９】
2008097855.tif 000011
【図１０】
2008097855.tif 000012